(57)【要約】  本発明は、液体薬剤（Ｍ）の用量を投与するための自動注射器（１）に関し、自動注射器（１）は、−中空針（４）およびストッパ（５）を備えたシリンジ（３）を含むように配置されたハウジング（２）であって、ストッパ（５）は、シリンジ（３）を封止し薬剤（Ｍ）を変位させるためのものであり、ハウジング（２）は、遠位端（Ｄ）および近位端（Ｐ）を有し、近位端（Ｐ）は、注射部位に対して当てる予定のオリフィスを備え、シリンジ（３）が、ハウジング（２）に対してスライド可能に配置される、該ハウジング（２）と、−起動時：−ハウジング（２）の内側の覆われた位置から、オリフィスを通り、近位端（Ｐ）を過ぎて、前進位置へ針（４）を押すこと、および、−薬剤（Ｍ）の用量を供給するためにシリンジ（３）を操作することが可能である駆動手段（６）と、手動操作の前に、駆動手段（６）を、負荷状態でロックし、手動操作されると、注射のために駆動手段（６）を解放するように配置された起動手段（１２）とを含む、上記自動注射器（１）において、駆動手段（６）が、少なくとも負荷状態にあるとき、シリンジ（３）の縦軸に対して本質的に横向きで配置された１つのばね（６）であることを特徴とする。
2014502168.tif 000002
【特許請求の範囲】
【請求項１】
−中空針（４）、およびシリンジ（３）を封止し薬剤（Ｍ）を変位させるためのストッパ（５）を備えたシリンジ（３）を含むように配置され、遠位端（Ｄ）、および注射部位に対して当てる予定のオリフィスを備えた近位端（Ｐ）を有するハウジング（ここで、シリンジ（３）は、ハウジング（２）に対してスライド可能に配置される）と、
−起動時、
−ハウジング（２）の内側の覆われた位置から、オリフィスを通り、近位端（Ｐ）を過ぎて、前進位置へ針（４）を押すこと、および
−シリンジ（３）を操作して薬剤（Ｍ）の用量を供給すること、
が可能である駆動手段（６）と、
−手動操作の前に、駆動手段（６）を、負荷状態でロックし、手動操作されると、注射のために駆動手段（６）を解放するように配置された起動手段（１２）と、
を含む、液体薬剤（Ｍ）の用量を投与するための自動注射器（１）であって、
駆動手段（６）が、少なくとも負荷状態にあるとき、シリンジ（３）の縦軸に対して本質的に横向きで配置された１つのばね（６）であることを特徴とする、上記自動注射器（１）。
【請求項２】
ばね（６）が、引張ばねとして構成されることを特徴とする、請求項１に記載の自動注射器（１）。
【請求項３】
リンケージ（７）は、駆動手段（６）の動きを、シリンジ（３）および／またはストッパ（５）に連結されたプランジャ（１０）の動きに伝達するために設けられることを特徴とする、請求項１または２に記載の自動注射器（１）。
【請求項４】
リンケージ（７）は、２つの端部を備えた少なくとも１つのアーム（７．１、７．２）を含み、端部のうちの一方は、ハウジング（２）の中に設けられたカム・トラック（９．１、９．２）に係合された少なくとも１つのカム・フォロワ（８．１、８．２）を有し、ここで該端部は、ばね（６）に接続され、もう一方の端部は、プランジャ（１０）にヒンジ連結されることを特徴とする、請求項３に記載の自動注射器（１）。
【請求項５】
負荷状態において、アーム（７．１、７．２）が、ばね（６）の負荷をハウジング（２）の遠位端（Ｄ）に静的に分解するオーバセンタ位置にあることを特徴とする、請求項４に記載の自動注射器（１）。
【請求項６】
起動手段（１２）が、手動操作の前にアーム（７．１、７．２）のキャッチ部（７．１．１）に係合されたキャッチ部（１２．１）を有するトリガ・ボタン（１２）であり、係合されたキャッチ部（１２．１、７．１．１）が、カム・トラック（９．１、９．２）に沿ったカム・フォロワ（８．１、８．２）の動きを拘束するように配置され、トリガ・ボタン（１２）が、手動操作時キャッチ部（１２．１、７．１．１）を係合解除するように配置されることを特徴とする、請求項４または５に記載の自動注射器（１）。
【請求項７】
トリガ・ボタン（１２）が、手動操作時、そのオーバセンタ位置からアーム（７．１、７．２）を押し出すように、プランジャ（１０）の遠位端を押すように配置され、結果的に、ばね（６）の負荷が、プランジャ（１０）に送られることを特徴とする、請求項５または６に記載の自動注射器（１）。
【請求項８】
トリガ・ボタン（１２）が、遠位端（Ｄ）の近辺で側面に配置されることを特徴とする、請求項６または７に記載の自動注射器（１）。
【請求項９】
カム・トラック（９．１、９．２）は、ストッパ（５）がシリンジ（３）の中でほとんど底に達している下死点位置をカム・フォロワ（８．１、８．２）に与えるように、またカム・フォロワ（８．１、８．２）が下死点を通った後で、アーム（７．１、７．２）、プランジャ（１０）、シリンジ（３）、および針（４）が、後退するのを可能にするように、本質的に目盛として形作られることを特徴とする、請求項４〜８のいずれか一項に記載の自動注射器（１）。
【請求項１０】
２つのアーム（７．１、７．２）の各アームが、そのそれぞれのカム・トラック（９．１、９．２）の中に配置された少なくとも１つのカム・フォロワ（８．１、８．２）を有する、該２つのアーム（７．１、７．２）を備えることを特徴とする、請求項４〜９のいずれか一項に記載の自動注射器（１）。
【請求項１１】
各アーム（７．１、７．２）が、それぞれ１つのばね（６）に連結されることを特徴とする、請求項１０に記載の自動注射器（１）。
【請求項１２】
アーム（７．１、７．２）が、同じばね（６）の異なる端部に連結されることを特徴とする、請求項１０に記載の自動注射器（１）。
【請求項１３】
ばねクリップ（１３）が、近位端（Ｐ）の近辺のハウジング（２）中に配置され、ばねクリップ（１３）が、ハウジング（２）の内径に適合されたリング形状部分を有し、２つのばね脚部（１３．１）が、リング形状部分から近位端（Ｐ）に向かって生じ、それら脚部（１３．１）は、それらの近位端が針（４）に取り付けられた保護ニードルシース（１４）の上に存在するように、または保護ニードルシース（１４）が取り外されたとき、針（４）の通過を可能にするためのそれらの近位端の間の小さい開口部（１３．２）だけを残してそれらの近位端が互いに接触するように、内向きに付勢されることを特徴とする、請求項１〜１２のいずれか一項に記載の自動注射器（１）。
【請求項１４】
脚部（１３．１）の近位端が、互いに係合してその後の係合解除を防止するように配置されたロック機能（１３．３、１３．４）を示すことを特徴とする、請求項１３に記載の自動注射器（１）。
【請求項１５】
プランジャ（１０）が、プランジャ（１０）を案内するための、ハウジング（２）中の縦方向切欠き部の中に係合された少なくとも１つのピンを有することを特徴とする、請求項３〜１４のいずれか一項に記載の自動注射器（１）。
【発明の詳細な説明】
【技術分野】
【０００１】
本発明は、請求項１のプリアンブルによる自動注射器に関する。
【背景技術】
【０００２】
注射物の投与は、ユーザおよび医療従事者に多くの危険と難題を精神的かつ物理的両面でもたらす方法である。
【０００３】
注射装置（すなわち、薬剤容器から薬剤を送達することが可能な装置）は、典型的には、手動装置および自動注射器の２種類に分類される。
【０００４】
手動装置では、ユーザは、針を通して流体を送るために、機械的エネルギーを提供しなければならない。典型的には、これは、注射中にユーザが連続的に押さなければならない何らかの形態のボタン／プランジャによって行われる。この手法は、ユーザに多数の不利益がある。ユーザが、ボタン／プランジャを押すのを止めれば、注射も止まる。これは、装置が適切に使用されなければ（すなわち、プランジャが、その端部位置まで完全に押されない）、ユーザが送達し得る分量が１回分に満たないことを意味する。とりわけ、患者が高齢であり、または、器用さに問題がある場合、注射の力は、ユーザにとって大き過ぎる可能性がある。
【０００５】
ボタン／プランジャの延長部が、長過ぎる可能性がある。したがって、ユーザが、完全に伸張されたボタンに手を伸ばして触れるのは不便である可能性がある。注射の力およびボタンの伸張の組み合わせが、手の震え／揺れを引き起こす可能性があり、そして、挿入された針が動くにつれて、それが、不快感を増加させる。
【０００６】
自動注射器装置は、注射される治療の自己投薬を患者にとってより簡単にすることを目標とする。自己投薬される注射によって送達される現在の治療は、糖尿病の薬物（インスリンおよび最新のＧＬＰ−１クラスの薬物の両方）、片頭痛、ホルモン治療、抗凝血剤などを含む。
【０００７】
自動注射器は、標準的なシリンジからの非経口薬物の送達に関する活動を完全にまたは部分的に置換する装置である。これらの活動は、保護用シリンジ・キャップを取り外すこと、患者の皮膚の中に針を挿入すること、薬剤を注射すること、針を取り外すこと、針を遮蔽すること、および装置の再利用を防止することを含むことが可能である。これは、手動装置の多くの不利益を克服する。注射の力／ボタンの伸張、手の揺れ、および１回分に満たない送達の可能性が、低減される。多数の手段によって、例えば、トリガ・ボタン、または、その注射深さに到達する針の作用によって、トリガすることが、実施されることが可能である。いくつかの装置では、流体を送達するエネルギーは、ばねによってもたらされる。
【０００８】
特許文献１は、引張ばねが解放されると、事前に測定された量の流体薬物を自動的に注射する自動的注射装置を開示する。引張ばねは、解放されると、格納位置から展開位置へアンプルおよび注射針を動かす。その後、ピストンをアンプルの内側へ前方に押し込む引張ばねによって、アンプルの内容物が排出される。流体薬物が注射された後、引張ばねの中に蓄えられた捩じり力が解放され、注射針が、自動的に、その初期の格納位置へ後方に後退させられる。
【先行技術文献】
【特許文献】
【０００９】
【特許文献１】米国特許出願公開第２００２／００９５１２０Ａ１号
【発明の概要】
【発明が解決しようとする課題】
【００１０】
本発明の目的は、新規な自動注射器を提供することである。
【００１１】
本目的は、請求項１による自動注射器によって実現される。
【００１２】
本発明の好ましい実施形態は、従属請求項に与えられる。
【課題を解決するための手段】
【００１３】
本発明によれば、液体薬剤の用量を投与するための自動注射器は：
−中空針、およびストッパを備えたシリンジを含むように配置されたハウジングであって、ストッパは、シリンジを封止し薬剤を移動させるためのものであり、ハウジングは、遠位端および近位端を有し、近位端は、注射部位に対して当てる予定のオリフィスを備え、シリンジが、ハウジングに対してスライド可能に配置される、該ハウジングと、
−起動時：
−ハウジングの内側の覆われた位置から、オリフィスを通り、近位端を過ぎて、前進位置へ針を押すこと、および、
−シリンジを操作して薬剤の用量を供給すること
が可能である駆動手段と、
−手動操作の前に、駆動手段を、負荷状態でロックし、手動操作されると、注射のために駆動手段を解放するように配置された起動手段と
を含む。
【００１４】
駆動手段が、少なくとも負荷状態のとき、シリンジの縦軸に対して本質的に横向きで配置された少なくとも１つのばねである。これは、ボトル形状の自動注射器をもたらし、器用さが低下したユーザにとって改善されたエルゴノミクスを提供することが可能である。
【００１５】
本明細書の文脈において、近位の用語は、注射中に患者の方を指す方向を指し、一方、遠位の用語は、患者から離れる方を指す反対の方向を指す。
【００１６】
好ましくは、ばねが、引張ばねとして構成される。他の実施形態では、ばねは、圧縮ばねであることが可能である。
【００１７】
リンケージは、駆動手段の動きを、プランジャの動きに伝達するために設けられることが可能である。プランジャは、シリンジおよび／またはストッパを近位方向に押すために、シリンジおよび／またはストッパに連結される。リンケージは、ばねエネルギーの最大限の利用を可能にし、すなわち、ばねサイズ、蓄えられたエネルギー、および、自動注射器の全体的なサイズが、最適化されることが可能である。
【００１８】
リンケージは、２つの端部を備えた少なくとも１つのアームを含み、端部のうちの一方は、少なくとも１つのカム・フォロワを有し、カム・フォロワは、ハウジングの中に設けられたカム・トラックに係合される。前記端部は、ばねに連結され、一方、もう一方の端部は、プランジャにヒンジ連結される。ばねが、解放され、収縮し始めると、ばねに連結されたアームの端部が、カム・トラックに沿って案内される。したがって、カム・トラックの勾配に応じて、アームのもう一方の端部が、プランジャを押すか、または、引っ張る。
【００１９】
好ましい実施形態では、ばねが負荷状態にあるとき、アームは、最初に、オーバセンタ位置にある。したがって、ばねの負荷は、静的に分解されハウジングの遠位端に伝えられる。この文脈において、オーバセンタ位置は、プランジャおよびアームが、わずかに鋭角を形成し、したがって、ばねの不注意な解放が、プランジャの動きを近位方向に引き起こすこととはならない状況を指す。
【００２０】
起動手段が、手動操作の前にアームの上のキャッチ部に係合されたキャッチ部を有するトリガ・ボタンであることが可能である。係合されたキャッチ部が、アームの動き、したがって、カム・トラックに沿ったカム・フォロワの動きを拘束する。したがって、偶発的な衝突または強打が、プランジャを近位方向に中央を超えて押すことはなく、したがって、自動注射器を不注意にトリガすることが避けられる。手動操作時、すなわち、トリガ・ボタンが押圧されると、キャッチ部が係合解除され、したがって、注射サイクルが始められることが可能である。
【００２１】
トリガ・ボタンが、手動操作時、そのオーバセンタ位置からアームを押し出すように、プランジャの遠位端を押すように配置されることが可能であり、結果的に、ばねの負荷が、プランジャに送られる。
【００２２】
好ましくは、トリガ・ボタンが、ハウジングの遠位端の近辺で側面に配置される。
【００２３】
カム・トラックが、下死点位置をカム・フォロワに与えるような、本質的に目盛として形作られることが可能である。下死点位置において、ストッパが、シリンジの中でほとんど底に達している。カム・フォロワが下死点を通ると、アームが、プランジャを遠位方向に引っ張り、したがって、シリンジおよび針が、注射終了後に後退させられる。この目的のために、プランジャは、例えば、スナップで取り付けられるか、または、ねじ込まれることによって、ストッパに取り付けられていなければならない。
【００２４】
好ましい実施形態では、リンケージが、２つのアームを含み、各アームが、そのそれぞれのカム・トラックの中に配置された少なくとも１つのカム・フォロワを有する。２つのアームは、遠位部分において、対称的に配置されることが可能である。１つの実施形態では、それぞれのアームが、それぞれ１つのばねに連結されることが可能である。別の実施形態では、両方のアームが、同じばねの異なる端部に連結される。
【００２５】
通常、中空針は、針を無菌状態に維持するために、および、針が機械的に損傷されることを防止するために、保護ニードルシールドが装備される。自動注射器またはシリンジが組み立てられるとき、保護ニードルシールドが、針に取り付けられる。
【００２６】
本発明の好ましい実施形態では、ばねクリップが、近位端の近辺のハウジング中に配置されることが可能であり、ばねクリップが、ハウジングの内径に適合されたリング形状部分を有し、２つのばね脚部が、リング形状部分から近位端に向かって生じ、脚部は、内向きに付勢され、針に取り付けられた保護ニードルシースの上にそれらの近位端が存在する態様になっているか、または保護ニードルシースが取り外されたとき、それらの近位端を互いに接触させて、それらの近位端の間に、針の通過を可能にするための小さい開口部だけを残す態様になっている。したがって、保護ニードルシースが取り外されたときでも、ユーザは、針刺し傷害から保護される。
【００２７】
好ましくは、ばねクリップは、スプリング・シート・メタルで作製される。また、スプリング・ワイヤまたはプラスチックも適用されることが可能である。
【００２８】
ばねクリップの脚部の近位端が、互いに係合してその後の係合解除を防止するように配置されたロック機能を示すことが可能である。
【００２９】
また、ばねクリップは、任意の他の注射装置の中に適用されることも可能である。
【００３０】
プランジャが、プランジャを案内するための、ハウジング中の縦方向切欠き部の中に係合された少なくとも１つのピンを有することが可能であり、したがって、その遠位端が、１つのアームまたは複数のアームによって導入された横からの力成分を受けていても、プランジャの軸線方向のアライメントが維持される。
【００３１】
本発明の適用可能なさらなる範囲は、以下に与えられる詳細な説明から明らかになる。しかし、本発明の精神および範囲内の様々な変更および修正が、この詳細な説明から当業者には明らかになるので、詳細な説明および特定の例は、本発明の好ましい実施形態を示しているが例示のためのものにすぎないことを理解されたい。
【００３２】
本発明は、以下に与えられた詳細な説明および添付の図面から、より完全に理解されることになり、以下に与えられた詳細な説明および添付の図面は、例示としてのみ与えられており、したがって、本発明を限定するものではない。
【図面の簡単な説明】
【００３３】
【図１】２つの横方向のばねを備えた自動注射器の等角図である。
【図２】自動注射器のハウジングの等角図である。
【図３】ばねが負荷状態の初期位置の自動注射器の縦断面図である。
【図４】針シールドが取り外された自動注射器の縦断面図である。
【図５】フィンガー・ガードを備えた自動注射器の近位部分の詳細図である。
【図６】フィンガー・ガードの部分拡大図である。
【図７】解放機構を備えた自動注射器の遠位部分の詳細図である。
【図８】解放機構を備えた自動注射器の遠位部分の別の詳細図である。
【図９】針が注射部位の中に挿入された自動注射器の側面図である。
【図１０】薬剤を注射している間の自動注射器の側面図である。
【図１１】薬剤がほとんど完全に送達された自動注射器の側面図である。
【図１２】シリンジおよび針が注射部位から後退させられた自動注射器の側面図である。
【００３４】
対応する部品は、全図面において、同じ参照符号を付けられている。
【発明を実施するための形態】
【００３５】
図１は、ハウジング２を備えた自動注射器１の等角図を示し、ハウジング２は、中空の注射針４およびストッパ５を備えたシリンジ３を含むように構成されており、ストッパ５は、シリンジ３を封止し、薬剤を移動させるためのものである。ハウジング２は、遠位端Ｄおよび近位端Ｐを有し、近位端Ｐは、注射部位に対して適用されることが意図されたオリフィスを備える。シリンジ３は、ハウジング２に対してスライド可能に配置される。自動注射器１は、２つの引張ばね６の形状の駆動手段を含み、引張ばね６は、少なくともばね６が負荷状態のとき、シリンジ３の縦軸に対して、本質的に横向きで配置される。ばね６の力は、リンケージ７によって、シリンジ３および／またはストッパ５に伝達される。リンケージ７は、シザーズ・ジャッキと類似しており、２つのアーム７．１、７．２．を含む。それぞれのアーム７．１、７．２は、外側端部を有し、外側端部は、ばね６のうちの１つと連結され、かつ、シャフトの形状のそれぞれのカム・フォロワ８．１、８．２に連結されており、シャフトのそれぞれの端部は、それぞれのカム・トラック９．１、９．２に係合するためのローラを装備する。
【００３６】
アーム７．１、７．２の内側端部は、互いにヒンジ連結され、かつ、ストッパ５を押すために設けられたプランジャ１０にヒンジ連結される。
【００３７】
ばね６が、シリンジ３および針４をハウジング２の内側の針の覆われた位置から、オリフィスを通り、近位端Ｐを過ぎて、前進位置へ押すことを可能にするように、カム・トラック９．１、９．２が配置される。そのうえ、ばね６は、シリンジ３を操作し、１回分の薬剤Ｍを供給することが可能であり、１回分が送達されたとき、シリンジ３および針４を後退させることが可能である。
【００３８】
ばね６の配向に起因して、ハウジング２の形状は、ボトルと類似しており、ハウジング２の近位部分は、首部であり、遠位部分は、首部に向かうにつれて細くなる扁平本体である（図２参照）。観察ウィンドウ１１が、シリンジの内容物を検査するために、近位部分に設けられる。
【００３９】
注射を作動させるためのトリガ・ボタン１２が、ハウジングの遠位部分において、側面に配置される。
【００４０】
図３は、出荷されるときのような初期位置にある自動注射器を示す。ばね６およびアーム７．１、７．２は、本質的に横向きで位置合わせされ、アームは、オーバセンタ位置にあり、遠位端Ｄに向かってわずかに傾いている。したがって、ばね６からの負荷が、遠位方向Ｄに作用し、静的に分解されハウジング２に伝えられる。ユーザがオリフィスを通してハウジング２の中へ指を突っ込まないようにすることによって、針刺し傷害を防止するために、ばねクリップ１３の形状をした針ガードが、近位端Ｐの近辺に配置される。針ガードは、図５および図６により詳細に図示される。図３に示される初期状態において、針４を無菌に保つために、および、針４が機械的に損傷を受けることを防止するために、針４は、保護ニードルシース１４によって覆われる。シリンジ３が組み立てられるとき、保護ニードルシース１４が、針４に取り付けられる。初期位置において、保護ニードルシース１４が、ばねクリップ１３の、内向きに付勢された２つのばね脚部１３．１の間に保持される。
【００４１】
注射を始めるために、ユーザは、針４から保護ニードルシース１４を取り外さなければならない。結果的に、内向きに付勢されたばね脚部１３．１が、内側に向かって動き、針４が通過するための小さい開口部１３．２だけを残す（図４、図５、および図６参照）。ばね脚部１３．１の対応するロック機構１３．３、１３．４が、互いに係合し、ばね脚部１３．１が再び外側に向かって押されることを防止する。
【００４２】
保護ニードルシース１４の取り外しは、保護ニードルシース１４をグリップするように設計された装置キャップ（図示せず）によって、容易にされることが可能である。
【００４３】
図７および図８は、解放機構を備えた自動注射器１の遠位部分の詳細図である。側面のトリガ・ボタン１２が押されていないとき、トリガ・ボタン１２の上のキャッチ部１２．１が、アーム７．１の動きを抑制するように、リンケージ７のアーム７．１のうちの１つのキャッチ部７．１．１に係合される。
【００４４】
トリガ・ボタン１２は、同じように、アーム７．１、７．２の両方に係合されることが可能である。
【００４５】
トリガ・ボタン１２が、内向きに押されると、キャッチ部１２．１、７．１．１が、互いから解除され、したがって、アーム７．１の動きは、もはや抑制されない。次いで、プランジャ１０の遠位端が、ボタン１２によって、例えば、トリガ・ボタン１２の傾斜した内側表面によって、近位方向Ｐに押される。したがって、プランジャ１０の遠位端を近位方向Ｐに押すことによって、アーム７．１、７．２の内側端部が、中央を超えて、近位方向Ｐに動く。結果的に、ばね６からの負荷が、カム・フォロワ８．１、８．２をそれぞれのカム・トラック９．１、９．２に沿って動かし、したがって、プランジャ１０が、リンケージ７によって、近位方向Ｐに押し込まれる。プランジャ１０が、ストッパ５を押す。中空の注射針４の狭い流体チャネルを通して押されることが抑制された液体薬剤Ｍの静水圧抵抗に起因して、シリンジ３が、近位方向Ｐに動き、したがって、注射部位の中へ、例えば、患者の皮膚の中へ、針４を挿入する（図９参照）。注射深さは、ハウジング２の近位部分の内側の機構に接触するシリンジ３の近位端によって画定される。したがって、衝撃力が、シリンジ３の最強部分を通して伝達され、それによって、シリンジの損傷または破損のリスクを最小限に抑える。カム・トラック９．１、９．２の形状に起因して、機構の運動は、針挿入が迅速に行われるように、すなわち、カム・フォロワ８．１、８．２の小さい動きが、プランジャ１０の大きい軸線方向の動きを生み出すようになっている。
【００４６】
カム・フォロワ８．１、８．２が、カム・トラック９．１、９．２に沿って転がり続けると、１回分の薬剤Ｍが、シリンジ３から排出される（図１０参照）。注射の間にわたり、かなり均一な負荷をストッパ５に加えるために、カム・トラック９．１、９．２の輪郭は、ばね６の減少する力を補うように選ばれる。
【００４７】
図１１において、カム・フォロワ８．１、８．２は、目盛形状のカム・トラック９．１、９．２の中で、下死点位置に到達している。これは、ストッパ５がシリンジ３の中で底部に達する少しだけ前に起こる。
【００４８】
カム・フォロワ８．１、８．２が、下死点位置を通ると、プランジャ１０にかかる負荷は、プランジャを遠位方向Ｄに引っ張るように、反対向きになる（図１２参照）。プランジャ１０の近位端は、例えば、スナップで取り付けられるか、または、ねじ込まれることによって、ストッパ５に取り付けられているので、ストッパ５も、遠位方向Ｄに引っ張られ、したがって、それは、後退が始まる前に詰まることを避けるために、シリンジ３の中で完全には底に達しない。ストッパ５と、シリンジ３の内側壁部との間の摩擦は、注射部位から針４を取り外すのに要求される力よりも大きい。したがって、ストッパ５を遠位方向Ｄに引っ張ることによって、針４およびシリンジ３が後退させられ、結果として、針がハウジング２の内側に隠される。
【００４９】
代替的な実施形態は、引張ばねの代わりに、１つだけの横方向のばね６を用いて、および／または、圧縮ばねを用いて、実行されることが可能である。水分注射を避けるために、注射深さに到達するまで、ストッパ５を押すことなく、結合解除機構は、プランジャ１０からシリンジ３へ力を送ることに適用されることが可能である。注射深さに到達した後、プランジャ１０は、シリンジ３から薬剤Ｍを排出させるために、シリンジ３から分離され、ストッパ５に結合されることが可能である。さらなる改善された実施形態は、カム・フォロワが下死点位置を通ったとき、シリンジを完全に空にすることを可能にするために、減衰または遅延機構を含むことが可能である。
【符号の説明】
【００５０】
１  自動注射器
２  ハウジング
３  シリンジ
４  針
５  ストッパ
６  ばね
７  リンケージ
７．１，７．２  アーム
７．１．１  キャッチ部
８．１，８．２  カム・フォロワ
９．１，９．２  カム・トラック
１０  プランジャ
１１  観察ウィンドウ
１２  トリガ・ボタン
１２．１  キャッチ部
１３  ばねクリップ
１３．１  脚部
１３．２  開口部
１３．３  ロック機構
１３．４  ロック機構
１４  保護ニードルシース
Ｄ  遠位端、遠位方向
Ｍ  薬剤
Ｐ  近位端、近位方向
【図１】
2014502168.tif 000003
【図２】
2014502168.tif 000004
【図３】
2014502168.tif 000005
【図４】
2014502168.tif 000006
【図５】
2014502168.tif 000007
【図６】
2014502168.tif 000008
【図７】
2014502168.tif 000009
【図８】
2014502168.tif 000010
【図９】
2014502168.tif 000011
【図１０】
2014502168.tif 000012
【図１１】
2014502168.tif 000013
【図１２】
2014502168.tif 000014
【国際調査報告】
2014502168.tif 000015
2014502168.tif 000016
2014502168.tif 000017